(57)【要約】ＣＡ（キャリアアグリゲーション）システムにおけるＨＡＲＱ（Hybrid Automatic Repeat reQuest）のためのＡＣＫ/ＮＡＣＫ信号を送信する方法であって、第１の送信リソース及び第２の送信リソースのうち少なくとも一つの送信リソース取得するステップ、前記第１の送信リソース及び第２の送信リソースのうち少なくとも一つの送信リソースと変調シンボルの組合せがＡＣＫ/ＮＡＣＫ信号にマッピングされる関係を示す第１のテーブルを構成するステップ、及び前記第１のテーブル上で送信対象ＡＣＫ/ＮＡＣＫ信号に対応する変調シンボルを、前記第１のテーブル上で前記送信対象ＡＣＫ/ＮＡＣＫ信号に対応する送信リソースを用いて送信するステップを含み、前記第１の送信リソースは、第１のダウンリンク制御チャネルに使われる制御要素により示され、前記第２の送信リソースは、第２のダウンリンク制御チャネル上に送信されたリソース割当インジケータが指示する第２のテーブル上の送信リソースセットのうち少なくとも一つの送信リソースであり、前記第２のテーブルは、前記リソース割当インジケータの指示値と上位階層シグナリングを介して前記端末に送信された送信リソースセットとの間の対応関係を示す。【選択図】図４
2013541299.tif 000002
【特許請求の範囲】
【請求項１】
キャリアアグリゲーション（ＣＡ）システムにおけるユーザ端末（ＵＥ）によるＨＡＲＱ（Hybrid Automatic Repeat reQuest)のためのＡＣＫ/ＮＡＣＫ信号を送信する方法であって、
第１の送信リソース及び第２の送信リソースのうち少なくとも一つの送信リソースを取得するステップ及び、
前記第１の送信リソース及び第２の送信リソースのうち少なくとも一つの送信リソースと変調シンボルの組合せがＡＣＫ/ＮＡＣＫ信号にマッピングされる関係を示す第１のテーブルが存在し、前記第１のテーブル上で送信対象ＡＣＫ/ＮＡＣＫ信号に対応する変調シンボルを、前記第１のテーブル上で前記送信対象ＡＣＫ/ＮＡＣＫ信号に対応するｎ(１)ＰＵＣＣＨを用いて送信するステップを含み、
前記第１の送信リソースは、第１のダウンリンク制御チャネルに使われる制御要素により示され、
前記第２の送信リソースは、第２のダウンリンク制御チャネル上に送信されたリソース割当インジケータが指示する第２のテーブル上の送信リソースセットのうち少なくとも一つの送信リソースであり、
前記第２のテーブルは、前記リソース割当インジケータの指示値と上位階層シグナリングを介して前記ユーザ端末（ＵＥ）に送信された送信リソースセットとの間の対応関係を示すことを特徴とするＡＣＫ/ＮＡＣＫ信号送信方法。
【請求項２】
前記第１及び/又は第２の送信リソースの数は、前記ＡＣＫ/ＮＡＣＫ信号の送信ビット数によって割り当てられることを特徴とする請求項１に記載のＡＣＫ/ＮＡＣＫ信号送信方法。
【請求項３】
前記リソース割当インジケータは、複数のコンポーネントキャリア（ＣＣｓ）を介して繰り返し送信される制御情報に割り当てられるリソースを用いて伝達されることを特徴とする請求項１に記載のＡＣＫ/ＮＡＣＫ信号送信方法。
【請求項４】
前記送信リソースセットは、前記第２のダウンリンク制御チャネル上に送信される制御信号が指示するデータチャネル上に送信される送信ブロックの個数に対応する送信リソースで構成されることを特徴とする請求項１に記載のＡＣＫ/ＮＡＣＫ信号送信方法。
【請求項５】
前記第２の送信リソースは、前記第２のダウンリンク制御チャネル上に送信される制御信号が示すデータチャネル上に送信される送信ブロックの数によって割り当てられることを特徴とする請求項１に記載のＡＣＫ/ＮＡＣＫ信号送信方法。
【請求項６】
前記リソース割当インジケータは、Ｎビットの情報で構成され、
前記第２のテーブルは、２Ｎ個のリソースグループで構成され、
前記リソースグループは、前記リソースセット又は前記リソースセットの要素で構成され、
前記リソースグループは、前記第２のダウンリンク制御チャネルが指示するデータチャネル上に送信される送信ブロックと同一個数の送信リソースで構成されることを特徴とする請求項１に記載のＡＣＫ/ＮＡＣＫ信号送信方法。
【請求項７】
前記ＡＣＫ/ＮＡＣＫ信号送信方法は、第１及び第２の送信リソースと異なる第３の送信リソースを取得するステップを含み、
前記第１のテーブル上でマッピングされる送信リソースを第１のアンテナに割り当て、
前記第３の送信リソースを第２のアンテナに割り当て、
前記第１及び第２のアンテナを介して前記第１のテーブルで前記ＡＣＫ/ＮＡＣＫ信号にマッピングされた変調シンボルを送信することを特徴とする請求項１に記載のＡＣＫ/ＮＡＣＫ信号送信方法。
【請求項８】
キャリアアグリゲーション（ＣＡ）システムにおけるＨＡＲＱ（Hybrid Automatic Repeat reQuest)のためのＡＣＫ/ＮＡＣＫ信号を受信する方法であって、
ダウンリンク制御チャネル上に送信するリソース割当インジケータを介してアップリンクＡＣＫ/ＮＡＣＫ信号受信に使用する少なくとも一つの送信リソースを割り当てるステップ及び、
ダウンリンク制御チャネル上に前記リソース割当インジケータを送信するステップを含み、
前記リソース割当インジケータは、リソース割当テーブル上で少なくとも一つの送信リソースを指示し、
前記リソース割当テーブルは、前記リソース割当インジケータの指示値と上位階層シグナリングを介して前記端末に送信する送信リソースセットとの間の対応関係を示すことを特徴とするＡＣＫ/ＮＡＣＫ信号受信方法。
【請求項９】
前記リソース割当インジケータは、複数のコンポーネントキャリアを介して繰り返し送信される制御情報に割り当てられるリソースを用いて伝達されることを特徴とする請求項８に記載のＡＣＫ/ＮＡＣＫ信号受信方法。
【請求項１０】
前記リソース割当インジケータは、Ｎビットの情報で構成され、
前記リソース割当テーブルは、２Ｎ個のリソースグループで構成され、
前記リソースグループは、前記リソースセット又は前記リソースセットの要素で構成されることを特徴とする請求項８に記載のＡＣＫ/ＮＡＣＫ信号受信方法。
【請求項１１】
前記リソースグループは、前記ダウンリンク制御チャネルが指示するデータチャネル上に送信される送信ブロックと同一個数の送信リソースで構成されることを特徴とする請求項８に記載のＡＣＫ/ＮＡＣＫ信号受信方法。
【請求項１２】
キャリアアグリゲーション（ＣＡ）システムにおけるＨＡＲＱ（Hybrid Automatic Repeat reQuest）のためのＡＣＫ/ＮＡＣＫ信号を送信する装置であって、
ダウンリンク制御チャネルにより指示されるダウンリンク割当を介してダウンリンク送信ブロックを受信し、前記ダウンリンク送信ブロックに対するＡＣＫ/ＮＡＣＫ信号を送信するＲＦ部及び、
前記ＲＦ部で受信した信号及び前記ＲＦ部を介して送信される信号を処理する信号処理部を含み、
前記信号処理部は、
第１の送信リソース及び第２の送信リソースのうち少なくとも一つを取得し、送信するＡＣＫ/ＮＡＣＫ信号にマッピングされる送信シンボル及び送信リソースを決定し、
前記ＲＦ部は、前記送信シンボルを前記送信リソースを用いて送信し、
前記送信シンボル及び送信リソースは、
前記第１の送信リソース及び第２の送信リソースのうち少なくとも一つの送信リソースと変調シンボルの組合せがＡＣＫ/ＮＡＣＫ信号にマッピングされる関係を示す第１のテーブル上で送信するＡＣＫ/ＮＡＣＫに対応して決定され、
前記第１の送信リソースは、第１のダウンリンク制御チャネルに使われる制御要素により示され、
前記第２の送信リソースは、第２のダウンリンク制御チャネル上に送信されたリソース割当インジケータが指示する第２のテーブル上の送信リソースセットのうち少なくともいずれか一つの送信リソースであり、
前記第２のテーブルは、前記リソース割当インジケータの指示値と上位階層シグナリングを介して前記端末に送信された送信リソースに基づいて構成された送信リソースセットとの間の対応関係を示すことを特徴とするＡＣＫ/ＮＡＣＫ信号送信装置。
【請求項１３】
前記リソース割当インジケータは、Ｎビットの情報で構成され、
前記リソース割当テーブルは、２Ｎ個のリソースグループで構成され、
前記リソースグループは、前記リソースセット又はセットの要素で構成されることを特徴とする請求項１２に記載のＡＣＫ/ＮＡＣＫ信号送信装置。
【請求項１４】
キャリアアグリゲーション（ＣＡ）システムにおけるＨＡＲＱ（Hybrid Automatic Repeat reQuest）のためのＡＣＫ/ＮＡＣＫ信号を受信する装置であって、
ダウンリンク制御チャネルにより指示されるダウンリンク割当を介してダウンリンク送信ブロックを送信し、前記ダウンリンク送信ブロックに対するＡＣＫ/ＮＡＣＫ信号を受信するＲＦ部及び、
前記ＲＦ部で送信した信号及び前記ＲＦ部を介して受信される信号を処理する信号処理部を含み、
前記信号処理部は、
ダウンリンク制御チャネル上に送信するリソース割当インジケータを介してアップリンクＡＣＫ/ＮＡＣＫ信号受信に使用する少なくとも一つの送信リソースを割り当て、
前記ＲＦ部は、
ダウンリンク制御チャネル上に前記リソース割当インジケータを送信するステップを含み、
前記リソース割当インジケータは、リソース割当テーブル上で少なくとも一つの送信リソースを指示し、
前記リソース割当テーブルは、前記リソース割当インジケータの指示値と上位階層シグナリングを介して端末に送信する送信リソースセットとの間の対応関係を示すことを特徴とするＡＣＫ/ＮＡＣＫ信号受信装置。
【請求項１５】
前記リソース割当インジケータの値にマッピングされる送信リソースの数は、前記第２のダウンリンク制御チャネルが指示するデータチャネル上に送信される送信ブロックの個数に対応することを特徴とする請求項１４に記載のＡＣＫ/ＮＡＣＫ信号受信装置。
【発明の詳細な説明】
【技術分野】
【０００１】
本発明は、無線通信に関し、より具体的には、多重搬送波をサポートする無線通信システムに関する。
【背景技術】
【０００２】
無線通信システムは、一般的にデータ送信のために一つの帯域幅を用いており、移動体通信の世代ごとに異なる帯域幅を使用している。例えば、第２世代無線通信システムは、２００ＫＨｚ〜１.２５ＭＨｚの帯域幅を使用し、第３世代無線通信システムは、５ＭＨｚ〜１０ＭＨｚの帯域幅を使用する。増加する送信容量をサポートするために、最近のＬＴＥ(Ｌｏｎｇ Ｔｅｒｍ Ｅｖｏｌｕｔｉｏｎ)又はＩＥＥＥ８０２.１６ｍは２０ＭＨｚ又はそれ以上にその帯域幅を拡張している。送信容量を高めるために帯域幅を増やすことは必須であるが、世界的にみれば一部地域を除いては広い帯域幅の周波数を割当てることが容易ではない。
【０００３】
断片化された小さい帯域を効率的に使用するための技術として、周波数領域で物理的に不連続的な複数個のバンドを結合（又はグループ化）して論理的に広い帯域を使用するような効果を得るためのキャリアアグリゲーション（Carrier Aggregation；ＣＡ)技術が開発されている。キャリアアグリゲーションにより結合された個別的な単位搬送波をコンポーネントキャリア（Component Carriers；ＣＣｓ)という。各コンポーネントキャリア（ＣＣｓ）は、一つの帯域幅と中心周波数により定義される。
【０００４】
複数のコンポーネントキャリアを介して広帯域にデータを送信及び/又は受信することができるようにするシステムは、キャリアアグリゲーション（ＣＡ）システム又はキャリアアグリゲーション環境という。キャリアアグリゲーション（ＣＡ）システムは、一つ又はその以上の搬送波を使用することによって狭帯域（ナローバンド）と広帯域（ブロードバンド）を同時にサポートするものである。例えば、一つの搬送波が５ＭＨｚの帯域幅に対応すると、四つの搬送波を使用することによって最大２０ＭＨｚの帯域幅がサポートされることになる。
【０００５】
キャリアアグリゲーション（ＣＡ）システムを運用するためには、基地局（ＢＳ）とユーザ端末（ＵＥ）との間に多様な制御信号が必要である。例えば、ＨＡＲＱ（Hybrid Automatic Repeat reQuest；ハイブリッド自動再送要求）を実行するためのＡＣＫ（ACKnowledgement；肯定応答)/ＮＡＣＫ（Not-ACKnowledgement；否定応答)情報の交換、ダウンリンクチャネル品質を示すＣＱＩ（Channel Quality Indicator）の交換などが必要である。
【０００６】
しかし、多重コンポーネントキャリア（multi−ＣＣ）システムは、複数のアップリンクコンポーネントキャリア（ＣＣｓ）と複数のダウンリンクコンポーネントキャリア（ＣＣｓ）が使用されるため、このような通信環境において、基地局（ＢＳ）とユーザ端末（ＵＥ）との間に多様な制御信号を交換するための装置及び方法が要求される。
【発明の概要】
【発明が解決しようとする課題】
【０００７】
本発明の目的は、キャリアアグリゲーション（ＣＡ）システムにおいて、複数のコンポーネントキャリア（ＣＣｓ）に対するＡＣＫ/ＮＡＣＫ信号を送信するための送信リソースを効果的に割り当てる方法を提供することにある。
【０００８】
本発明の別の目的は、キャリアアグリゲーション（ＣＡ）システムにおいて、繰り返し伝達される制御信号に割り当てられるリソースを用いて無線リソースを効果的に用いる装置と方法を提供する。
【０００９】
本発明の別の目的は、キャリアアグリゲーション（ＣＡ）システムにおいて、無線リソースの衝突を防止して円滑な通信が行われることができるリソース割当方法を提供する。
【課題を解決するための手段】
【００１０】
本発明の一態様として、キャリアアグリゲーション（ＣＡ）システムにおけるＨＡＲＱ（Hybrid Automatic Repeat reQuest）のためのＡＣＫ/ＮＡＣＫ信号を送信する方法は、ダウンリンク制御チャネル上に送信されたリソース割当インジケータを介して少なくとも一つの第１の送信リソースを取得するステップ、及びダウンリンク制御チャネルに使われるリソースのうち少なくとも一つに基づいて少なくとも一つの第２の送信リソースを取得するステップを含み、ＡＣＫ/ＮＡＣＫ信号の送信は、取得した第１及び/又は第２の送信リソースとＡＣＫ/ＮＡＣＫ信号の変調シンボルの組合せで構成される第１のテーブルによりマッピングされる送信リソースと変調シンボルを介して実行される。
【００１１】
前記第１及び/又は第２の送信リソースの数は、前記ＡＣＫ/ＮＡＣＫ信号の送信ビット数に応じて割り当てることができる。
【００１２】
前記リソース割当インジケータは、複数のコンポーネントキャリア（ＣＣｓ）を介して繰り返し送信される制御情報に割り当てられるリソースを用いて伝達することができる。
【００１３】
前記第１の送信リソースは、所定の送信リソースグループで構成された第２のテーブル上でリソース割当インジケータによりマッピングされる送信リソースであってもよい。
【００１４】
前記ＡＣＫ/ＮＡＣＫ信号の送信は、マルチアンテナシステムを介して行われてもよく、この方法は、第１及び第２の送信リソースと異なる第３の送信リソースを取得するステップをさらに含み、第１のテーブルでマッピングされる送信リソースを第１のアンテナに割り当て、第３の送信リソースを第２のアンテナに割り当て、第１及び第２のアンテナを介して第１のテーブルでマッピングされた変調シンボルを送信することができる。
【００１５】
本発明の他の態様として、キャリアアグリゲーション（ＣＡ）システムにおけるＨＡＲＱ（Hybrid Automatic Repeat reQuest）のためのＡＣＫ/ＮＡＣＫ信号を受信する方法は、ダウンリンク制御チャネル上に送信するリソース割当インジケータを介してアップリンクＡＣＫ/ＮＡＣＫ信号送信に使用する少なくとも一つの第１の送信リソースを割り当てるステップ、及びダウンリンク制御チャネル上にリソース割当インジケータを送信するステップを含み、リソース割当インジケータは、所定の送信リソースグループで構成されたテーブル上でＡＣＫ/ＮＡＣＫ信号送信に使用する送信リソースを指示する。
【００１６】
前記リソース割当インジケータは、複数のコンポーネントキャリアを介して繰り返し送信される制御情報に割り当てられるリソースを用いて伝達することができる。
【００１７】
本発明の他の態様として、キャリアアグリゲーション（ＣＡ）システムにおけるＨＡＲＱのためのＡＣＫ/ＮＡＣＫ信号を送信する装置は、ダウンリンク制御チャネルにより指示されるダウンリンク割当を介してダウンリンク送信ブロックを受信し、ダウンリンク送信ブロックに対するＡＣＫ/ＮＡＣＫ信号を送信するＲＦ部、及びＲＦ部で受信した信号とＲＦ部を介して送信される信号を処理する信号処理部を含み、信号処理部は、ダウンリンク制御チャネル上に送信されたリソース割当インジケータを介して少なくとも一つの第１の送信リソースを取得し、ダウンリンク制御チャネルに使われるリソースのうち少なくとも一つに基づいて少なくとも一つの第２の送信リソースを取得し、第１及び/又は第２の送信リソースとＡＣＫ/ＮＡＣＫ信号の変調シンボルの組合せで構成されるテーブル上でＡＣＫ/ＮＡＣＫ送信に用いる送信リソースと変調シンボルをマッピングし、ＲＦ部は、マッピングされた送信リソースと変調シンボルを用いてＡＣＫ/ＮＡＣＫ信号を送信する。
【００１８】
前記ＲＦ部は、複数のアンテナを含み、複数のアンテナのうち第１のアンテナにはテーブル上でマッピングされた送信リソースが割り当てられ、複数のアンテナのうち第２のアンテナには第１及び第２の送信リソースと異なる送信リソースが割り当てられ、第１及び第２のアンテナを介して前記テーブル上でマッピングされたシンボルが送信されてもよい。
【００１９】
本発明の他の態様として、キャリアアグリゲーション（ＣＡ）システムにおけるＨＡＲＱのためのＡＣＫ/ＮＡＣＫ信号を受信する装置は、ダウンリンク制御チャネルにより指示されるダウンリンク割当を介してダウンリンク送信ブロックを送信し、ダウンリンク送信ブロックに対するＡＣＫ/ＮＡＣＫ信号を受信するＲＦ部、及びＲＦ部で送信する信号とＲＦ部を介して受信される信号を処理する信号処理部を含み、信号処理部は、ダウンリンク制御チャネル上に送信するリソース割当インジケータを介してアップリンクＡＣＫ/ＮＡＣＫ信号送信に使用する少なくとも一つの送信リソースを割り当て、ＲＦ部は、ダウンリンク制御チャネル上にリソース割当インジケータを送信し、リソース割当インジケータは、所定の送信リソースグループで構成されたテーブル上でＡＣＫ/ＮＡＣＫ信号送信に使用する送信リソースを指示する。
【００２０】
本発明の他の実施形態は、キャリアアグリゲーション（ＣＡ）システムにおけるユーザ端末（ＵＥ）によるＨＡＲＱ（Hybrid Automatic Repeat reQuest）のためのＡＣＫ/ＮＡＣＫ信号を送信する方法であって、第１の送信リソース及び第２の送信リソースのうち少なくとも一つの送信リソースを取得するステップ、及び前記第１の送信リソース及び第２の送信リソースのうち少なくとも一つの送信リソースと変調シンボルの組合せがＡＣＫ/ＮＡＣＫ信号にマッピングされる関係を示す第１のテーブルが存在し、前記第１のテーブル上で送信対象ＡＣＫ/ＮＡＣＫ信号に対応する変調シンボルを、前記第１のテーブル上で前記送信対象ＡＣＫ/ＮＡＣＫ信号に対応するｎ(１)ＰＵＣＣＨを用いて送信するステップを含み、前記第１の送信リソースは、第１のダウンリンク制御チャネルに使われる制御要素により示され、前記第２の送信リソースは、第２のダウンリンク制御チャネル上に送信されたリソース割当インジケータが示す第２のテーブル上の送信リソースセットのうち少なくとも一つの送信リソースであり、前記第２のテーブルは、前記リソース割当インジケータの指示値と上位階層シグナリングを介して前記端末に送信された送信リソースセットとの間の対応関係を示すことができる。
【００２１】
ここで、前記第１及び/又は第２の送信リソースの数は、前記ＡＣＫ/ＮＡＣＫ信号の送信ビット数によって割り当てることができ、前記リソース割当インジケータは、複数のコンポーネントキャリア（ＣＣｓ）を介して繰り返し送信される制御情報に割り当てられるリソースを用いて伝達することができる。
【００２２】
また、前記送信リソースセットは、前記第２のダウンリンク制御チャネル上に送信される制御信号によって示されるデータチャネル上に送信される送信ブロックの個数に対応する送信リソースで構成することができる。
【００２３】
前記第２の送信リソースは、前記第２のダウンリンク制御チャネル上に送信される制御信号によって示されるデータチャネル上に送信される送信ブロックの数によって割り当てることができる。
【００２４】
前記リソース割当インジケータは、Ｎビットの情報で構成され、前記第２のテーブルは、２Ｎ個のリソースグループで構成されることができ、前記リソースグループは、前記リソースセット又は前記リソースセットの要素で構成され、前記リソースグループは、前記第２のダウンリンク制御チャネルが指示するデータチャネル上に送信される送信ブロックと同一個数の送信リソースで構成されてもよい。
【００２５】
また、前記ＡＣＫ/ＮＡＣＫ信号送信方法は、第１及び第２の送信リソースと異なる第３の送信リソースを取得するステップをさらに含み、前記第１のテーブル上でマッピングされる送信リソースを第１のアンテナに割り当て、前記第３の送信リソースを第２のアンテナに割り当て、前記第１及び第２のアンテナを介して前記第１のテーブルで前記ＡＣＫ/ＮＡＣＫ信号にマッピングされた変調シンボルを送信することができる。
【００２６】
本発明の他の実施形態は、キャリアアグリゲーション（ＣＡ）システムにおけるＨＡＲＱ（Hybrid Automatic Repeat reQuest）のためのＡＣＫ/ＮＡＣＫ信号を受信する方法であって、ダウンリンク制御チャネル上に送信するリソース割当インジケータを介してアップリンクＡＣＫ/ＮＡＣＫ信号受信に使用する少なくとも一つの送信リソースを割り当てるステップ、及びダウンリンク制御チャネル上に前記リソース割当インジケータを送信するステップを含み、前記リソース割当インジケータは、リソース割当テーブル上で少なくとも一つの送信リソースを指示し、前記リソース割当テーブルは、前記リソース割当インジケータの指示値と上位階層シグナリングを介して前記ユーザ端末（ＵＥ）に送信する送信リソースセットとの間の対応関係を示す。
【００２７】
ここで、前記リソース割当インジケータは、複数のコンポーネントキャリアを介して繰り返し送信される制御情報に割り当てられるリソースを用いて伝達され、Ｎビットの情報で構成されてもよい。リソース割当インジケータがＮビットの情報で構成される場合、前記リソース割当テーブルは、２Ｎ個のリソースグループで構成されることができ、前記リソースグループは、前記リソースセット又は前記リソースセットの要素で構成されてもよい。
【００２８】
前記リソースグループは、前記ダウンリンク制御チャネルが指示するデータチャネル上に送信される送信ブロックと同一個数の送信リソースで構成されてもよい。
【００２９】
本発明の他の実施形態は、キャリアアグリゲーション（ＣＡ）システムにおけるＨＡＲＱのためのＡＣＫ/ＮＡＣＫ信号を送信する装置であって、ダウンリンク制御チャネルにより指示されるダウンリンク割当を介してダウンリンク送信ブロックを受信し、前記ダウンリンク送信ブロックに対するＡＣＫ/ＮＡＣＫ信号を送信するＲＦ部、及び前記ＲＦ部で受信した信号及び前記ＲＦ部を介して送信される信号を処理する信号処理部を含み、前記信号処理部は、第１の送信リソース及び第２の送信リソースのうち少なくとも一つを取得し、送信するＡＣＫ/ＮＡＣＫ信号にマッピングされる送信シンボル及び送信リソースを決定し、前記ＲＦ部は、前記送信シンボルを前記送信リソースを用いて送信し、前記送信シンボル及び送信リソースは、前記第１の送信リソース及び第２の送信リソースのうち少なくとも一つの送信リソースと変調シンボルの組合せがＡＣＫ/ＮＡＣＫ信号にマッピングされる関係を示す第１のテーブル上で送信するＡＣＫ/ＮＡＣＫに対応して決定され、前記第１の送信リソースは、第１のダウンリンク制御チャネルに使われる制御要素により示され、前記第２の送信リソースは、第２のダウンリンク制御チャネル上に送信されたリソース割当インジケータが指示する第２のテーブル上の送信リソースセットのうち少なくともいずれか一つの送信リソースであり、前記第２のテーブルは、前記リソース割当インジケータの指示値と上位階層シグナリングを介して前記ユーザ端末（ＵＥ）に送信された送信リソースに基づいて構成された送信リソースセットとの間の対応関係を示す。
【００３０】
ここで、リソース割当インジケータは、Ｎビットの情報で構成され、前記リソース割当テーブルは、２Ｎ個のリソースグループで構成され、前記リソースグループは、前記リソースセット又はセットの要素で構成されてもよい。
【００３１】
本発明の他の実施形態は、キャリアアグリゲーション（ＣＡ）システムにおけるＨＡＲＱのためのＡＣＫ/ＮＡＣＫ信号を受信する装置であって、ダウンリンク制御チャネルにより指示されるダウンリンク割当を介してダウンリンク送信ブロックを送信し、前記ダウンリンク送信ブロックに対するＡＣＫ/ＮＡＣＫ信号を受信するＲＦ部、及び前記ＲＦ部で送信した信号及び前記ＲＦ部を介して受信される信号を処理する信号処理部を含み、前記信号処理部は、ダウンリンク制御チャネル上に送信するリソース割当インジケータを介してアップリンクＡＣＫ/ＮＡＣＫ信号受信に使用する少なくとも一つの送信リソースを割り当て、前記ＲＦ部は、ダウンリンク制御チャネル上に前記リソース割当インジケータを送信するステップを含み、前記リソース割当インジケータは、リソース割当テーブル上で少なくとも一つの送信リソースを指示し、前記リソース割当テーブルは、前記リソース割当インジケータの指示値と上位階層シグナリングを介して端末に送信する送信リソースセットとの間の対応関係を示す。
【００３２】
このとき、リソース割当インジケータの値にマッピングされる送信リソースの数は、前記第２のダウンリンク制御チャネルが指示するデータチャネル上に送信される送信ブロックの個数に対応することができる。
【発明の効果】
【００３３】
本発明の態様によると、キャリアアグリゲーション（ＣＡ）システムにおいて、複数のコンポーネントキャリアに対するＡＣＫ/ＮＡＣＫ信号を送信するための送信リソースを効果的に割り当てることができる。
【００３４】
本発明の態様によると、キャリアアグリゲーション（ＣＡ）システムにおいて、繰り返し伝達される制御信号に割り当てられるリソースを用いて無線リソースを効果的に用いることができる。
【００３５】
本発明の態様によると、キャリアアグリゲーション（ＣＡ）システムにおいて、無線リソースの衝突を防止して円滑な通信が行われるようにすることができる。
【図面の簡単な説明】
【００３６】
【図１】本発明の態様に係るダウンリンクＨＡＲＱ及びＣＱＩ送信を概略的に説明する概念図である。
【図２】本発明の態様に係るキャリアアグリゲーション（ＣＡ）システムにおけるダウンリンク制御情報の送信方法を概略的に説明する図面である。
【図３】本発明の態様に係るキャリアアグリゲーション（ＣＡ）システムにおける基地局と端末との間の送受信関係を概略的に示す図面である。
【図４】本発明の態様に係るキャリアアグリゲーション（ＣＡ）システムにおいて、重複されるＴＰＣフィールドに割り当てられたリソースを用いることを概略的に説明する図面である。
【図５】本発明の態様に係る多重アンテナシステムにおいて、端末がＡＣＫ/ＮＡＣＫ信号を送信する方法を概略的に説明するフローチャートである。
【図６】本発明の態様に係る多重アンテナシステムにおいて、ＨＡＲＱ ＡＣＫ/ＮＡＣＫ信号を送信する送信装置の一例を概略的に示すブロック図である。
【図７】本発明の態様に係る本発明の実施例が具現される無線通信システムを概略的に示すブロック図である。
【発明を実施するための形態】
【００３７】
以下、本発明の実施の形態について図面を参照して詳細に説明する。各図面の構成要素に参照符号を付加するにあたって、同じ構成要素に対しては、たとえ、他の図面上に表示されても、可能のかぎり同じ符号を有していることを留意しなければならない。また、本明細書の実施例を説明するにあたって、関連した公知構成又は機能に対する具体的な説明が本明細書の要旨を不明にすると判断される場合にはその詳細な説明は省略する。
【００３８】
また、本発明に係る構成要素を説明するにあたって、第１、第２、Ａ、Ｂ、(ａ)、(ｂ)などの用語を使用することができる。このような用語は、その構成要素を他の構成要素と区別するためのものに過ぎず、その用語により該当構成要素の本質や順序などが限定されない。ある構成要素又は階層が他の構成要素又は階層に“連結”、“結合”又は“接続”されると記載された場合、その構成要素又は階層は、その他の構成要素又は階層に直接的に連結され、又は接続されることができるが、各構成要素又は階層の間に他の構成要素又は階層が“連結”、“結合”又は“接続”されるのも可能であると理解することができる。
【００３９】
また、開示される発明は、無線通信ネットワークを対象にして説明され、無線通信ネットワークで行われる作業は、該当無線通信ネットワークを管轄するシステム(例えば、基地局（ＢＳ）)でネットワークを制御し、データを送信する過程で行われ、該当無線ネットワークに接続した移動局（ＭＳ）で作業が行われることができる。
【００４０】
無線通信システムは、音声、パケットデータなどのような多様な通信サービスを提供するために広く配置される。無線通信システムは、少なくとも一つの基地局(Ｂａｓｅ Ｓｔａｔｉｏｎ；ＢＳ)を含む。基地局（ＢＳ）は、一般的に移動局（ＭＳ）と通信する固定局（fixed station）を意味し、ｅＮＢ（evolved Node-B）、ＢＴＳ（Base Transceiver System）、アクセスポイント（Access Point）等、他の用語で呼ばれることもある。各基地局（ＢＳ）は、特定の地理的領域(一般的に、セル（cell）と呼ばれる)に対して通信サービスを提供する。セルは、基地局（ＢＳ）によってカバーされる一部領域を示す包括的な意味を有するものと解釈されなければならず、メガセル、マクロセル、マイクロセル、ピコセル、フェムトセル、リレイなど、多様なカバレッジ領域を全て包括する意味である。
【００４１】
移動局（Mobile Station；ＭＳ)は、固定されてもよいし、移動性を有してもよく、ユーザ端末（User Equipment；ＵＥ)、モバイルターミナル（Mobile Terminal；ＭＴ)、ユーザターミナル（User Terminal；ＵＴ)、加入者ステーション（Subscriber Station；ＳＳ)、無線機器（Wireless Device）、ＰＤＡ（Personal Digital Assistant）、無線モデム（Wireless Modem）、携帯機器（Handhwld Device）等、他の用語で呼ばれることもある。
【００４２】
無線通信システムに適用されるマルチアクセス方式は限定されない。即ち、ＣＤＭＡ（Code Division Multiple Access）、ＴＤＭＡ（Time Division Multiple Access）、ＦＤＭＡ（Frequency Division Multiple Access）、ＯＦＤＭＡ（Orthogonal Frequency Division Multiple Access）、ＳＣ−ＦＤＭＡ（Single-Carrier−ＦＤＭＡ)、ＯＦＤＭ−ＦＤＭＡ、ＯＦＤＭ−ＴＤＭＡ、ＯＦＤＭ−ＣＤＭＡのような多様なマルチアクセス方式を使用することができる。異なる時間又は送信が異なる周波数を用いて行われるＦＤＤ（Frequency Division Duplex）方式により行われるＴＤＤ（Time Division Duplex）方式での送信は、アップリンク送信及びダウンリンク送信に適用することができる。
【００４３】
キャリアアグリゲーション（Carrier Aggregation；ＣＡ)は、複数の搬送波をサポートすることであり、スペクトルアグルゲーション（Spectrum Aggregation） 又は帯域幅アグリゲーション（Bandwidth Aggregation）とも呼ばれる。
【００４４】
キャリアアグリゲーションを構成するコンポーネントキャリアの大きさ(即ち、帯域幅)は、互いに異なってもよい。
【００４５】
以下、多重搬送波（Multiple Carrier）システムとは、キャリアアグリゲーションをサポートするシステムを意味する。
【００４６】
コンポーネントキャリアは、活性化されるか否かによって主コンポーネントキャリア（Primary Component Carrier；ＰＣＣ)と副コンポーネントキャリア（Secondary Component Carrier；ＳＣＣ)に分けることができる。主コンポーネントキャリアは常に活性化されている搬送波であり、副コンポーネントキャリアは特定条件によって活性化又は非活性化される搬送波である。ここで、活性化は、トラフィックデータの送信又は受信が行われている状態、又はトラフィックデータの送信又は受信の準備ができている状態にあることを意味する。非活性化は、トラフィックデータの送信又は受信が不可能であり、測定や最小情報の送信又は受信が可能であることを意味する。ユーザ端末（ＵＥ）は、一つの主コンポーネントキャリアのみを使用することもでき、主コンポーネントキャリアと共に一つ又はその以上の副コンポーネントキャリアを使用することもできる。
【００４７】
図１は、ダウンリンクＨＡＲＱ及びＣＱＩ送信を示す。
【００４８】
図１を参照すると、基地局（ＢＳ）からダウンリンクデータを受信したユーザ端末（ＵＥ）は、一定時間が経過した後にＡＣＫ（ACKnowledgement)/ＮＡＣＫ（Not-ACKnowledgement）情報を送信する。ダウンリンクデータは、ＰＤＣＣＨにより指示されるＰＤＳＣＨ上に送信されることができる。ＡＣＫ/ＮＡＣＫ信号は、ダウンリンクデータを正常に復号化されたときのＡＣＫ情報であってもよいし、ダウンリンクデータの復号化に失敗したときのＮＡＣＫ情報であってもよい。基地局（ＢＳ）は、ＮＡＣＫ情報が受信されると、最大再送信回数までダウンリンクデータを再送信することができる。
【００４９】
ダウンリンクデータに対するＡＣＫ/ＮＡＣＫ信号の送信時間やリソース割当は、基地局（ＢＳ）がシグナリングを介して動的に知らせてもよく、ダウンリンクデータの送信時点やリソース割当によって予め取り決めておいてもよい。
【００５０】
ユーザ端末（ＵＥ）は、ダウンリンクチャネル状態を測定し、周期的及び/又は非周期的にＣＱＩを基地局（ＢＳ）に報告することができる。基地局（ＢＳ）は、ユーザ端末（ＵＥ）にＣＱＩの送信時間やリソース割当に対する情報を知らせることができる。
【００５１】
一方、ＰＵＣＣＨは、多重フォーマットをサポートすることができる。即ち、変調方式とＰＵＣＣＨ送信フォーマットによってサブフレーム当たり互いに異なるビット数を有するアップリンク制御情報を送信することができる。下記の表１は、多様なＰＵＣＣＨフォーマットによる変調方式及びビット数を示す。
【００５２】
【表１】
2013541299.tif 000003
【００５３】
ＰＵＣＣＨフォーマット１は、スケジューリングリクエスト（Scheduling Request；ＳＲ）の送信に使用することができ、ＰＵＣＣＨフォーマット１ａ/１ｂは、ＨＡＲＱ ＡＣＫ/ＮＡＣＫ信号を送信するために使用することができる。ＰＵＣＣＨフォーマット２は、ＣＱＩの送信に使用することができ、ＰＵＣＣＨフォーマット２ａ/２ｂは、ＣＱＩ及びＨＡＲＱ ＡＣＫ/ＮＡＣＫの送信に使用することができる。ＨＡＲＱ ＡＣＫ/ＮＡＣＫ信号が単独に送信される場合にはＰＵＣＣＨフォーマット１ａ/１ｂ/３を使用することができ、リクエスト要求（ＳＲ）が単独に送信される場合にはＰＵＣＣＨフォーマット１を使用することができる。
【００５４】
ＰＵＣＣＨフォーマット１/１ａ/１ｂの送信のためのリソースであるリソースインデックスｎ(１)ＰＵＣＣＨは、ＡＣＫ/ＮＡＣＫ信号が送信される物理的なリソースブロックの位置だけでなく、基本シーケンスのＣＳ量α(ｎｓ,ｌ)及び直交シーケンスインデックスｎＯＣ(ｎｓ)を決定するために使われる。また、ＨＡＲＱ ＡＣＫ/ＮＡＣＫ信号のためのリソースインデックスｎ(１)ＰＵＣＣＨは、下記の表２で示すように求めることができる。リソースインデックスｎ(１)ＰＵＣＣＨは、物理的なＲＢインデックスｎＰＲＢ、基本シーケンスのＣＳ量α(ｎｓ,ｌ)及び直交シーケンスインデックスｎＯＣ(ｎｓ)などを決定するパラメータとして使用することができる。
【００５５】
【表２】
2013541299.tif 000004
【００５６】
即ち、ｎ番目のサブフレームで送信されるＰＤＳＣＨに対するＨＡＲＱ ＡＣＫ/ＮＡＣＫ信号は、前記ｎ番目のサブフレームで送信されるＰＤＣＣＨの１番目のＣＣＥ（Control Channel Element）インデックスｎＣＣＥと上位階層シグナリング（higher layer signaling）又は別の制御チャネルを介して得た値Ｎ(１)ＰＵＣＣＨとの和であるリソースインデックスｎ(１)ＰＵＣＣＨを用いてｎ＋４番目のサブフレームで送信される。例えば、Ｎ(１)ＰＵＣＣＨは、半静的スケジューリング（Semi-Persistent Scheduling；ＳＰＳ)送信とリクエスト要求（ＳＲ）（Service Request；ＳＲ)送信に必要なＰＵＣＣＨフォーマット１/１ａ/１ｂリソースの総個数である。半静的スケジューリング送信とリクエスト要求（ＳＲ）送信は、該当ＰＤＳＣＨ送信を示すＰＤＣＣＨが存在しないため、基地局がｎ(１)ＰＵＣＣＨを明示的に端末に知らせることができる。
【００５７】
ＨＡＲＱ ＡＣＫ/ＮＡＣＫ信号及び/又はリクエスト要求（ＳＲ）がＰＵＣＣＨフォーマット１/１ａ/１ｂを介して送信される時、リソースインデックスｎ(１)ＰＵＣＣＨにより物理的なＲＢインデックスｎＰＲＢが決定される。これは、以下の数式１の通りである。
【００５８】
【数１】
2013541299.tif 000005
【００５９】
ＰＵＣＣＨフォーマット３は、ＤＦＴ−Ｓ−ＯＦＤＭ（Discrete Fourier Transform - Spreading - Orthogonal Frequency-Division Multiplexing）が適用されたＰＵＣＣＨフォーマットであり、ＤＦＴ−ＩＦＦＴとブロック−拡散を使用する。ＨＡＲＱ ＡＣＫ/ＮＡＣＫ信号がＰＵＣＣＨフォーマット３を用いて送信されるとき、ＦＤＤの場合には最大１０ビットまでの情報、そして最大２０ビットまでの情報は、一つのＡＣＫ/ＮＡＣＫリソースを用いてＨＡＲＱ ＡＣＫ/ＮＡＣＫ信号に送信することができる。
【００６０】
一方、アップリンクにおいて多重アンテナを用いてＰＵＣＣＨを介してＡＣＫ/ＮＡＣＫ信号を送信すると、同じＡＣＫ/ＮＡＣＫシンボルを互いに異なるリソースを介して、互いに異なるリソースを用いて送信することによってダイバーシティを得ることができる。しかしこの場合、同じＡＣＫ/ＮＡＣＫ信号が互いに異なるアンテナを介して送信されるため、各アンテナに対して互いに異なるＡＣＫ/ＮＡＣＫ送信リソースを割り当てることによってリソースの衝突を防止しなければならない。
【００６１】
例えば、第１のアンテナに対しては信号送信テーブルによってＡＣＫ/ＮＡＣＫ送信リソースを割り当て、第２のアンテナに対しては信号送信テーブルで指定しないリソース領域でＡＣＫ/ＮＡＣＫ送信リソースを割り当て、同じＡＣＫ/ＮＡＣＫ信号を互いに異なるアンテナを介して送信することによって、リソースの衝突を防止して送信ダイバーシティを得ることができる。
【００６２】
キャリアアグリゲーション環境でＨＡＲＱ ＡＣＫ/ＮＡＣＫ信号は、信号送信テーブルを用いたＰＵＣＣＨフォーマット１/１ａ/１ｂを介して送信することができる。信号送信テーブルは、送信するメッセージと該当メッセージの送信に使用するリソースと変調シンボルをマッピングするテーブルである。信号送信テーブルは、多様な方法で構成されることができる。例えば、複数のリソースインデックスとＡＣＫ/ＮＡＣＫ信号の変調シンボルの組合せで構成されてもよく、ＡＣＫ/ＮＡＣＫ信号の送信に使われるビット数(Ｍ)によって異なるように構成されてもよく、又は全てのビット数(Ｍ)を包括することができるように一つのテーブルで構成されてもよい。したがって、キャリアアグリゲーション環境で４ビット以下のＡＣＫ/ＮＡＣＫ情報に対して信号送信テーブルを用いる場合には、Ｍ値が２、３、４である場合に信号送信テーブルを構成し、これをＡＣＫ/ＮＡＣＫ送信リソース割当に活用することができる。信号送信テーブルを用いて送信リソースを割り当て、送信リソースと変調シンボルをマッピングする方法の一例として、チャネルセレクションがある。以下、説明の便宜のために、本発明の実施の形態に係る信号送信テーブルを用いる方法の一例として、チャネルセレクションを例に説明する。
【００６３】
チャネルセレクションに使用するテーブル(以下、‘チャネルセレクションテーブル’という)のフォーマットは、上位階層シグナリングにより予めユーザ端末（ＵＥ）と基地局（ＢＳ）に伝達されてもよく、又は既にユーザ端末（ＵＥ）と基地局（ＢＳ）が互いに有しているテーブルであってもよい。ユーザ端末（ＵＥ）では受信したＰＤＣＣＨ又は上位チャネルからの別のシグナリングや送信チャネルなどを介してチャネルセレクションテーブルを構成するためのリソースインデックスを得ることができる。
【００６４】
チャネルセレクションを用いたＰＵＣＣＨフォーマット１/１ａ/１ｂにＡＣＫ/ＮＡＣＫ信号を送信するためのリソース割当のために、基地局（ＢＳ）は、リソースインデックスを黙示的リソース割当方式により割り当てることができる。基地局（ＢＳ）がリソースインデックスを黙示的に割り当てるということは、ＣＣ＃ａのＰＤＣＣＨを構成する少なくとも一つのＣＣＥのうちＣＣＥの番号を意味するｎＣＣＥをパラメータとして計算されたリソースインデックスを割り当てることを意味する。
【００６５】
また、基地局（ＢＳ）は、リソースインデックスを明示的なリソース割当方式により割り当てることもできる。基地局（ＢＳ）がリソースインデックスを明示的に端末に割り当てるということは、ｎＣＣＥに依存せずに別のリソース割当インジケータ等を介してユーザ端末（ＵＥ）に、特定のユーザ端末（ＵＥ）に専用のＰＵＣＣＨのリソースインデックスを割り当てることを意味する。このとき、別のリソース割当インジケータは、上位階層又は物理階層からのシグナリングなどを含む。また、リソース割当インジケータは、制御情報又はシステム情報としてＰＤＣＣＨに含まれることもできる。
【００６６】
リソースインデックスを明示的に割り当てるために、基地局は、異なる制御情報を伝達するために使われるインジケータをリソース割当インジケータとして活用することもできる。例えば、基地局は、アップリンク送信電力に対する電力インジケータ（Power Indicator；ＰＩ)をリソース割当インジケータとして活用することもできる。
【００６７】
電力インジケータ（ＰＩ）は、アップリンク送信電力を制御して調節するインジケータである。一般的に、ダウンリンクグラントを示すＤＣＩフォーマットは、ＰＵＣＣＨに対する電力制御のための２ビットのＰＩフィールドを含み、アップリンクグラントを示すＤＣＩフォーマットは、ＰＵＳＣＨに対する電力制御のための２ビットのＰＩフィールドを含む。電力インジケータ（ＰＩ）の一例として、前述した送信電力制御（Transmission Power Control；ＴＰＣ)を上げることができる。以下、説明の便宜のために、本発明の実施の形態におけるＰＩに対する内容は、ＴＰＣを例に説明する。
【００６８】
キャリアアグリゲーション環境でクロスキャリアスケジューリングが適用される場合、一つ又はそれ以上のターゲット制御搬送波（即ち、キャリアが制御対象）に対するダウンリンクグラントは、制御搬送波を介して送信されることができる。制御搬送波は、クロスキャリアスケジューリングにおけるターゲット制御搬送波のＰＤＳＣＨを示すＰＤＣＣＨを送信する搬送波であり、主コンポーネントキャリア（ＣＣ）又は副コンポーネントキャリアであってもよい。ターゲット制御搬送波は、ＰＤＳＣＨが制御搬送波のＰＤＣＣＨにより示される搬送波であってもよく、副コンポーネントキャリア（ＣＣｓ）であってもよい。全てのダウンリンクグラントは、制御搬送波とリンクされたアップリンクコンポーネントキャリア（ＣＣｓ）のＰＵＣＣＨに対するＴＰＣを送信するようになる。この場合、同じアップリンクＰＵＣＣＨの電力制御のための一つ以上の同じＴＰＣが送信される。これは、結局、ダウンリンク制御情報のオーバーヘッドとして作用する。したがって、複数のダウンリンクグラント送信により一つのＰＵＣＣＨに対するＴＰＣが複数個存在する場合、重複されるＴＰＣフィールドに割り当てられたビットを異なる制御情報の送信に使用すると、限定された無線リソースをさらに効率的に用いることができる。
【００６９】
図２は、キャリアアグリゲーション（ＣＡ）システムにおけるダウンリンク制御情報の送信方法と搬送波間スケジューリングを概略的に説明する図面である。
【００７０】
図２の例で、多重コンポーネントキャリア（multi−ＣＣ）システムは、三つのコンポーネントキャリア、即ち、ＣＣ１、ＣＣ２、ＣＣ３をキャリアアグリゲーション（ＣＡ）によりユーザ端末（ＵＥ）に提供する。そのうち、一つの搬送波は主コンポーネントキャリア（ＣＣ）であり、残りの搬送波は副コンポーネントキャリア（ＣＣｓ）であってもよい。説明の便宜のために、ＣＣ１が主コンポーネントキャリアと仮定する。
【００７１】
各コンポーネントキャリア（ＣＣ）のダウンリンクサブフレームは、ＰＤＣＣＨを含む制御領域とＰＤＳＣＨを含むデータ領域で構成されることができる。例えば、ＣＣ１はデータ領域１０７０と制御領域１０４０を含み、ＣＣ２はデータ領域１０８０と制御領域１０５０を含み、ＣＣ３はデータ領域１０９０と制御領域１０６０を含む。
【００７２】
ＣＣ１、ＣＣ２、ＣＣ３がクロスキャリアスケジューリングにより動作すると、ＣＣ１は、ＰＤＳＣＨ１０１０に対するＰＤＣＣＨだけでなく、搬送波ＣＣ２、ＣＣ３のＰＤＳＣＨ１０２０、１０３０に対するＰＤＣＣＨを含むことができる。例えば、ＣＣ１の制御領域１０４０は、ＣＣ１のＰＤＳＣＨに対するＰＤＣＣＨ１、ＣＣ２のＰＤＳＣＨに対するＰＤＣＣＨ２、及びＣＣ３のＰＤＳＣＨに対するＰＤＣＣＨ３を含むことができる。
【００７３】
ＰＤＣＣＨを介して送信される制御情報をダウンリンク制御情報（downlink control information；ＤＣＩ)という。ＤＣＩは、そのフォーマットによって使用用途が異なり、ＤＣＩ内で定義されるフィールドも異なる。ＤＣＩは、アップリンクリソース割当情報とダウンリンクリソース割当情報を含む。アップリンクリソース割当情報はアップリンクグラント（uplink grant）と呼ばれることもあり、ダウンリンクリソース割当情報はダウンリンクグラント（downlink grant）と呼ばれることもある。例えば、ＤＣＩフォーマット０はアップリンクリソース割当情報を示し、ＤＣＩフォーマット１〜２Ｃはダウンリンクリソース割当情報を示し、ＤＣＩフォーマット３、３Ａは任意のユーザ端末（ＵＥ）グループに対するアップリンクＴＰＣ（Transmit Power Control）命令を示すことができる。ＤＣＩの各フィールドは、情報ビットに順次マッピングされることができる。ＣＣ１のＰＤＳＣＨに対するＰＤＣＣＨ１ １００１、ＣＣ２のＰＤＳＣＨに対するＰＤＣＣＨ２ １００２、及びＣＣ３のＰＤＳＣＨに対するＰＤＣＣＨ３ １００３は、各々、ＤＣＩ１/１Ａ/１Ｂ/１Ｃ/１Ｄ/２/２Ａ/２Ｂ/２Ｃのうちいずれか一つのフォーマットのＤＣＩを送信することができる。ＤＣＩに含まれるリソース割当フィールドは、特定のコンポーネントキャリアのＰＤＳＣＨを指示することができる。例えば、ＰＤＣＣＨ１ １００１のＤＣＩはＣＣ１のＰＤＳＣＨ１ １０１０を指示し、ＰＤＣＣＨ２ １００２のＤＣＩはＣＣ２のＰＤＳＣＨ２ １０２０を指示し、ＰＤＣＣＨ３ １００３のＤＣＩはＣＣ３のＰＤＳＣＨ３ １０３０を示すことができる。
【００７４】
このように、搬送波集約において、ＰＤＣＣＨのＤＣＩ情報は、該当ＰＤＣＣＨが属する搬送波内のリソース割当だけでなく、異なる搬送波に対してもリソース割当情報を送信することができる。これをクロスキャリアスケジューリングという。クロスキャリアスケジューリングによると、副コンポーネントキャリアに対する制御情報を、主コンポーネントキャリアを介して送信することができるため、スケジューリングが柔軟になる。
【００７５】
一方、ＤＣＩは、リソース割当フィールド外にも多様なフィールドをさらに含むことができる。例えば、各ＤＣＩは、送信フィールドＴＰＣを含むことができる。
【００７６】
ユーザ端末（ＵＥ）は、キャリアアグリゲーション（ＣＡ）環境下で送信される複数のＰＤＣＣＨをモニターリングすることができる。例えば、ユーザ端末（ＵＥ）に割り当てられた特定のＲＮＴＩ（Radio Network Temporary Identifier）を用いてブラインドデコーディング方式にモニターリングし、送信フィールドを抽出することができる。
【００７７】
図３は、キャリアアグリゲーション（ＣＡ）システムにおける基地局（ＢＳ）１１２０とユーザ端末（ＵＥ）１１１０との間の送受信関係を概略的に示す図面である。
【００７８】
基地局（ＢＳ）１１２０は、ＣＣ１、ＣＣ２、ＣＣ３の三つのコンポーネントキャリアを集約してユーザ端末（ＵＥ）１１１０に送信する。
【００７９】
必要な情報は、各コンポーネントキャリア（ＣＣｓ）であるＣＣ１ １１３０、ＣＣ２ １１４０、ＣＣ３ １１５０に含まれており、ＰＤＣＣＨ及びＰＤＳＣＨ上で伝送される (Ｓ１１１０、Ｓ１１２０、Ｓ１１３０)。このとき、各コンポーネントキャリア（ＣＣｓ）であるＣＣ１、ＣＣ２、ＣＣ３のＰＤＣＣＨにはアップリンク電力制御のためのＴＰＣが含まれている。
【００８０】
各コンポーネントキャリア（ＣＣｓ）であるＣＣ１ １１３０、ＣＣ２ １１４０、ＣＣ３ １１５０を受信したユーザ端末（ＵＥ）１１１０は、これに対応してＰＵＣＣＨ上に必要な情報を基地局（ＢＳ）１１２０に伝達する(Ｓ１１４０)。ＰＵＣＣＨは、各コンポーネントキャリア（ＣＣｓ）であるＣＣ１ １１３０、ＣＣ２ １１４０、ＣＣ３ １１５０のＰＤＳＣＨがエラーなしに受信されたか否かに対するＨＡＲＱ ＡＣＫ/ＮＡＣＫ信号を含む。
【００８１】
ダウンリンク送信に対してあるＰＵＣＣＨが基地局（ＢＳ）に送信される場合には、前述したように、各コンポーネントキャリア（ＣＣｓ）であるＣＣ１、ＣＣ２、ＣＣ３のＰＤＣＣＨ上に同じＰＵＣＣＨに対する電力インジケータＴＰＣ１、ＴＰＣ２、ＴＰＣ３が重複された情報を含んでユーザ端末（ＵＥ）に伝達されることができる。したがって、異なる制御情報を伝送するために、同じＰＵＣＣＨに対して繰り返し伝達されるＴＰＣフィールドに割り当てられたビットを活用する方法を考慮することができる。
【００８２】
図３において、ＣＣ１を主コンポーネントキャリア（ＰＣＣ）とし、ＣＣ２とＣＣ３を各々副コンポーネントキャリア（ＳＣＣ１、ＳＣＣ２）とすると、ＰＣＣのＰＤＣＣＨに含まれるＴＰＣフィールドは、アップリンクＰＵＣＣＨ電力制御のための情報の伝達に使用し、ＳＣＣ１とＳＣＣ２のＰＤＣＣＨに含まれるＴＰＣフィールドに割り当てられるビットは、異なる制御情報の伝達に使用することができる。
【００８３】
例えば、ＳＣＣ１及び/又はＳＣＣ２のＰＤＣＣＨに含まれるＴＰＣフィールドに割り当てられた２ビットを用いてリソースを割り当てることによって、ＰＵＣＣＨを介して２〜４ビットのＡＣＫ/ＮＡＣＫ信号を送信するためのチャネルセレクションテーブルを構成するリソースを取得することができる。
【００８４】
図４は、キャリアアグリゲーションシステムにおいて、重複されるＴＰＣフィールドに割り当てられたリソースを用いることを概略的に説明する図面である。
【００８５】
キャリアアグリゲーション（ＣＡ)環境において、アップリンク信号送信に使われるリソースを割り当てるために、基地局（ＢＳ）は、リソース割当インジケータを構成する(Ｓ１２１０)。リソース割当インジケータの一例として、アップリンクＨＡＲＱ ＡＣＫ/ＮＡＣＫ信号に対してはＡＣＫ/ＮＡＣＫ送信リソースインジケータ（ACK/NACK resource indicator；ＡＲＩ）を構成することができる。ＡＲＩは、ユーザ端末（ＵＥ）がアップリンクＨＡＲＱ ＡＣＫ/ＮＡＣＫ信号を送信するときに使用するリソースを明示的に割り当てるインジケータである。以下の説明において、ＡＲＩは、本実施の形態に係るＰＵＣＣＨリソース割当インジケータの一例として扱われる。
【００８６】
基地局（ＢＳ）は、コンポーネントキャリア（ＣＣｓ）を介してＰＤＣＣＨとＰＤＳＣＨに必要な情報をユーザ端末（ＵＥ）に送信する(Ｓ１２２０)。多重コンポーネントキャリア（multi−ＣＣ）システムで、複数のコンポーネントキャリアが送信される時、例えば、主コンポーネントキャリア（ＰＣＣ）と共に副コンポーネントキャリア（ＳＣＣ）が送信される時、副コンポーネントキャリア（ＳＣＣ）のＰＤＣＣＨに含まれるＴＰＣフィールドは、主コンポーネントキャリア（ＰＣＣ）のＰＤＣＣＨに含まれるＰＵＣＣＨに対するＴＰＣと重複される。基地局（ＢＳ）は、重複される副コンポーネントキャリア（ＳＣＣ）上のＴＰＣフィールドに割り当てられるビットを利用してＡＲＩを送信することができる。
【００８７】
ユーザ端末（ＵＥ）は、基地局（ＢＳ）から受信したコンポーネントキャリア（ＣＣｓ）のＰＤＣＣＨをチェックし、副コンポーネントキャリア（ＳＣＣｓ）上のＴＰＣフィールドに割り当てられるビットを利用して送信されたＡＲＩから明示的リソース割当方法によりリソースの割当を受ける(Ｓ１２３０)。
【００８８】
ユーザ端末（ＵＥ）は、ＡＲＩを介して得た送信リソースと後述するように黙示的に割当を受けた送信リソースでチャネルセレクションテーブルを構成することができる(Ｓ１２４０)。
【００８９】
ユーザ端末（ＵＥ）のＰＵＣＣＨマップは、ＨＡＲＱ ＡＣＫ／ＮＡＣＫ伝送と、チャネルセレクションテーブルにユーザ端末（ＵＥ）によって受信されたＨＡＲＱ ＡＣＫ／ＮＡＣＫ情報に従ったシンボルの変調に用いられる(Ｓ１２５０)。チャネルセレクションテーブル上のマッピングは、送信するメッセージ/信号に対して送信に使用する送信リソースを単純にマッチングさせてもよく、送信するメッセージ及び/又は信号の類型によって送信に使用するリソースとシンボルをマッチングさせてもよい。例えば、ＨＡＲＱ ＡＣＫ/ＮＡＣＫ信号送信の場合、該当ＡＣＫ/ＮＡＣＫ信号の類型によって、送信に使用する送信リソースと送信するシンボルがマッピングされることができる。
【００９０】
ユーザ端末（ＵＥ）は、チャネルセレクションテーブル上のマッピングにより決められた送信リソースを用いてシンボル及び/又はメッセージをＰＵＣＣＨ上に送信することができる(Ｓ１２６０)。
【００９１】
一般的に、複数のダウンリンクコンポーネントキャリアのＰＤＳＣＨに対するＡＣＫ/ＮＡＣＫ情報は、例えば、一つのＰＵＣＣＨを介して送信される、一つのアップリンク（ＵＬ）主コンポーネントキャリアである。したがって、複数のコンポーネントキャリア（ＣＣｓ）がダウンリンク送信に使われた場合、前述したように、各コンポーネントキャリア（ＣＣｓ）のＰＤＣＣＨのＰＵＣＣＨに対するＴＰＣフィールドが重複される。
【００９２】
特に、キャリアアグリゲーション（ＣＡ）環境でチャネルセレクションを用いたＰＵＣＣＨフォーマット１ｂにしたがってＰＤＳＣＨチャネルに対するＨＡＲＱ ＡＣＫ／ＮＡＣＫ信号が伝送されたとき、即ち、ダウンリンク副コンポーネントキャリアにより伝達されるＰＤＳＣＨに対するＨＡＲＱ ＡＣＫ/ＮＡＣＫ信号が１〜４ビットである場合、ＰＤＣＣＨ内にある２ビットのＴＰＣフィールドを転用してアップリンクＨＡＲＱ ＡＣＫ/ＮＡＣＫ信号を送信するためのチャネルセレクションテーブルを構成することができる。
【００９３】
以下、これに対する内容を本発明の技術的思想が適用される一実施例として、ダウンリンク副コンポーネントキャリアにより伝達されるＰＤＳＣＨに対するＨＡＲＱ ＡＣＫ/ＮＡＣＫ信号が１〜４ビットである場合、ＰＤＣＣＨ内にある２ビットのＴＰＣフィールドを転用してアップリンクＨＡＲＱ ＡＣＫ/ＮＡＣＫ信号を送信するためのチャネルセレクションテーブルの構成に用いることに対して説明する。このとき、２ビットのＴＰＣフィールドをＡＲＩに用いるために、複数のコンポーネントキャリア（ＣＣｓ）が基地局（ＢＳ）からユーザ端末（ＵＥ）に送信される場合を考慮する。
【００９４】
説明の便宜のために、２ビットのＴＰＣフィールドをＡＲＩに送信し、これを用いてチャネルセレクションテーブルを構成することに対して説明するが、本発明の技術的思想がこれに限定されるものではない。
【００９５】
ＡＲＩにリソースを割り当てるためのＡＲＩリソースマッピングテーブルは、上位階層シグナリングにより予めユーザ端末（ＵＥ）に送信されることができる。ＡＲＩリソースマッピングテーブルは、ＡＲＩの値とそれによって割り当てられるＡＣＫ/ＮＡＣＫ送信リソースで構成される。ＡＲＩリソースマッピングテーブルを構成するために必要なＡＣＫ/ＮＡＣＫ送信リソースの数は、ＲＲＣを介して構成される副コンポーネントキャリアの数と送信モードを介して決定される。ここでは、送信モードをサブフレーム内でコンポーネントキャリア別に一つの送信ブロックを送信するか、又は二つの送信ブロックを送信するかに対して説明するが、本発明がこれに限定されるものではなく、送信モードは多様な送信形態を反映することができ、ＡＣＫ/ＮＡＣＫ送信リソースは多様な送信モードにより決定されることができる。ここで、送信ブロックはコードワードとも呼ばれる。
【００９６】
ＡＲＩリソースマッピングテーブルは、前述したように、ＡＣＫ/ＮＡＣＫ送信リソースの数によって異なるように構成される。ＡＲＩリソースマッピングテーブルは、上位階層シグナリングを介して予めユーザ端末（ＵＥ）に伝達することができる。副コンポーネントキャリア（ＳＣＣ）により送信されたＰＤＳＣＨに対するＡＣＫ/ＮＡＣＫ信号を送信するために必要なＡＣＫ/ＮＡＣＫ送信リソースは、キャリアアグリゲーション（ＣＡ）環境でチャネルセレクションを用いたＰＵＣＣＨフォーマット１ｂの場合、１〜４のリソースがＡＲＩテーブルとして指定される必要である。
【００９７】
一つのＡＣＫ/ＮＡＣＫ送信リソースが必要な場合は、例えば、副コンポーネントキャリア（ＳＣＣ）を介して一つの送信ブロックで構成されたＰＤＳＣＨが送信される場合を上げることができる。
【００９８】
二つのＡＣＫ/ＮＡＣＫ送信リソースが必要な場合は、例えば、副コンポーネントキャリア（ＳＣＣ）を介して二つの送信ブロックで構成されたＰＤＳＣＨが送信される場合、又は二つの副コンポーネントキャリア（ＳＣＣｓ）を介して一つの送信ブロックで構成されたＰＤＳＣＨが各々送信される場合を上げることができる。
【００９９】
三つのＡＣＫ/ＮＡＣＫ送信リソースが必要な場合は、例えば、一つの副コンポーネントキャリア（ＳＣＣ）を介して一つの送信ブロックで構成されたＰＤＳＣＨが送信され、他の副コンポーネントキャリア（ＳＣＣｓ）を介して二つの送信ブロックで構成されたＰＤＳＣＨが送信される場合、又は三つの副コンポーネントキャリア（ＳＣＣｓ）を介して一つの送信ブロックで構成されたＰＤＳＣＨが各々送信される場合を上げることができる。
【０１００】
四つのＡＣＫ/ＮＡＣＫ送信リソースが必要な場合は、例えば、二つの副コンポーネントキャリア（ＳＣＣｓ）を介して二つの送信ブロックで構成されたＰＤＳＣＨが各々送信される場合、又は一つの副コンポーネントキャリア（ＳＣＣ）を介して二つの送信ブロックで構成されたＰＤＳＣＨが送信され、他の二つの副コンポーネントキャリア（ＳＣＣｓ）を介して一つの送信ブロックで構成されたＰＤＳＣＨが各々送信される場合、又は四つの副コンポーネントキャリア（ＳＣＣｓ）を介して一つの送信ブロックで構成されたＰＤＳＣＨが各々送信される場合を上げることができる。
【０１０１】
主コンポーネントキャリア（ＰＣＣ）を介して送信されるＰＤＣＣＨによって示されるＰＤＳＣＨに対するＡＣＫ/ＮＡＣＫ送信リソースは、黙示的リソース割当方式により割り当てられるため、ＡＲＩを介して明示的に送信リソースを割り当てない場合がある。
【０１０２】
以下、副コンポーネントキャリアにより送信されたＰＤＳＣＨに対するＡＣＫ/ＮＡＣＫ信号を送信するために、必要なＡＣＫ/ＮＡＣＫ送信リソースの数によって、各々の場合に対して具体的に説明する。
【０１０３】
(１)一つのＡＣＫ/ＮＡＣＫ送信リソースが必要な場合
【０１０４】
一つのＡＣＫ/ＮＡＣＫ送信リソースが必要な場合であるため、ＡＲＩリソースマッピングテーブルを構成するための各リソースセットは、各々、一つのＡＣＫ/ＮＡＣＫ送信リソースに対応する要素を有する。
【０１０５】
例えば、上位階層シグナリングにより予め伝達されたリソースセットが{ｎ１}、{ｎ２}、{ｎ３}、{ｎ４}であると、ＡＲＩリソースマッピングテーブルは、表３のように構成されることができる。
【０１０６】
【表３】
2013541299.tif 000006
【０１０７】
表３は、本発明を容易に説明するために便宜上構成したＡＲＩリソースマッピングテーブルであり、本発明の一実施形態に係るＡＲＩリソースマッピングテーブル上の具体的な値はこれに限定されるものではない。例えば、一つの要素を有するセットでテーブルを構成しなく、一つのセット{ｎ１,ｎ２,ｎ３,ｎ４}の各要素でテーブルを構成することもできる。
【０１０８】
ここで、ＡＲＩは、ダウンリンクに送信される複数のコンポーネントキャリア（ＣＣｓ）のうち、副コンポーネントキャリア（ＳＣＣ）のＰＤＳＣＨに対するＰＤＣＣＨ上の２ビットＴＰＣを利用してＡＲＩとして使用することができる。受信した副コンポーネントキャリア（ＳＣＣｓ）のＰＤＳＣＨに対するＰＤＣＣＨ上のＡＲＩ値によって、ＡＣＫ/ＮＡＣＫ送信リソースが割り当てられる。例えば、ＡＲＩが‘００’である場合には、リソースセット{ｎ１}が割り当てられる。
【０１０９】
(２)二つのＡＣＫ/ＮＡＣＫ送信リソースが必要な場合
【０１１０】
二つのＡＣＫ/ＮＡＣＫ送信リソースが必要な場合であるため、ＡＲＩリソースマッピングテーブルを構成するための各リソースセットは、各々、二つのＡＣＫ/ＮＡＣＫ送信リソースに対応する要素を有する四つのセット、又は四つのＡＣＫ/ＮＡＣＫ送信リソースに対応する要素を有する二つのセットである。
【０１１１】
上位階層シグナリングにより予め伝達されたリソースセットが二つのＡＣＫ/ＮＡＣＫ送信リソースに対応する要素を有する四つのセット、例えば、{ｎ１,ｎ２}、{ｎ３,ｎ４}、{ｎ５,ｎ６}、{ｎ７,ｎ８}であると、ＡＲＩリソースマッピングテーブルは、表４のように構成されることができる。
【０１１２】
【表４】
2013541299.tif 000007
【０１１３】
上位階層シグナリングにより予め伝達されたリソースセットが四つのＡＣＫ/ＮＡＣＫ送信リソースに対応する要素を有する二つのセット、例えば、{ｎ１,ｎ２,ｎ３,ｎ４}、{ｎ５,ｎ６,ｎ７,ｎ８}であると、ＡＲＩリソースマッピングテーブルは、表５のように構成されることができる。
【０１１４】
【表５】
2013541299.tif 000008
【０１１５】
表４及び表５は、本発明を容易に説明するために便宜上構成したＡＲＩリソースマッピングテーブルであり、本発明の一実施形態に係るＡＲＩリソースマッピングテーブル上の具体的な値はこれに限定されるものではない。
【０１１６】
ＡＲＩが‘００’である場合、表４の例ではリソースセット{ｎ１,ｎ２}が割り当てられる。また、ＡＲＩが‘００’である場合、表５の例ではリソースセット{ｎ１,ｎ５}が割り当てられる。
【０１１７】
(３)三つのＡＣＫ/ＮＡＣＫ送信リソースが必要な場合
【０１１８】
三つのＡＣＫ/ＮＡＣＫ送信リソースが必要な場合であるため、ＡＲＩリソースマッピングテーブルを構成するための各リソースセットは、各々、三つのＡＣＫ/ＮＡＣＫ送信リソースに対応する要素を有する四つのセット、又は四つのＡＣＫ/ＮＡＣＫ送信リソースに対応する要素を有する三つのセットである。
【０１１９】
上位階層シグナリングにより予め伝達されたリソースセットが三つのＡＣＫ/ＮＡＣＫ送信リソースに対応する要素を有する四つのセット、例えば、{ｎ１,ｎ２,ｎ３}、{ｎ４,ｎ５,ｎ６}、{ｎ７,ｎ８,ｎ９}、{ｎ１０,ｎ１１,ｎ１２}であると、ＡＲＩリソースマッピングテーブルは、表６のように構成されることができる。
【０１２０】
【表６】
2013541299.tif 000009
【０１２１】
上位階層シグナリングにより予め伝達されたリソースセットが四つのＡＣＫ/ＮＡＣＫ送信リソースに対応する要素を有する三つのセット、例えば、{ｎ１,ｎ２,ｎ３,ｎ４}、{ｎ５,ｎ６,ｎ７,ｎ８}、{ｎ９,ｎ１０,ｎ１１,ｎ１２}であると、ＡＲＩリソースマッピングテーブルは、表７のように構成されることができる。
【０１２２】
【表７】
2013541299.tif 000010
【０１２３】
表６及び表７は、本発明を容易に説明するために便宜上構成したＡＲＩリソースマッピングテーブルであり、本発明の一実施形態に係るＡＲＩリソースマッピングテーブル上の具体的な値はこれに限定されるものではない。
【０１２４】
ＡＲＩが‘００’である場合、表６の例ではリソースセット{ｎ１,ｎ２,ｎ３}が割り当てられる。また、ＡＲＩが‘００’である場合、表７の例ではリソースセット{ｎ１,ｎ５,ｎ９}が割り当てられる。
【０１２５】
(４)四つのＡＣＫ/ＮＡＣＫ送信リソースが必要な場合
【０１２６】
四つのＡＣＫ/ＮＡＣＫ送信リソースが必要な場合であるため、ＡＲＩリソースマッピングテーブルを構成するための各リソースセットは、各々、四つのＡＣＫ/ＮＡＣＫ送信リソースに対応する要素を有する四つのセットである。
【０１２７】
上位階層シグナリングにより予め伝達されたリソースセットが四つのＡＣＫ/ＮＡＣＫ送信リソースに対応する要素を有する四つのセット、例えば、{ｎ１,ｎ２,ｎ３,ｎ４}、{ｎ５,ｎ６,ｎ７,ｎ８}、{ｎ９,ｎ１０,ｎ１１,ｎ１２}、{ｎ１３,ｎ１４,ｎ１５,ｎ１６}であると、ＡＲＩリソースマッピングテーブルは、表８のように構成されることができる。
【０１２８】
【表８】
2013541299.tif 000011
【０１２９】
上位階層シグナリングにより予め伝達されたリソースセット、例えば、{ｎ１,ｎ２,ｎ３,ｎ４}、{ｎ５,ｎ６,ｎ７,ｎ８}、{ｎ９,ｎ１０,ｎ１１,ｎ１２}、{ｎ１３,ｎ１４,ｎ１５,ｎ１６}である場合、ＡＲＩリソースマッピングテーブルは、表９のように構成されることもできる。
【０１３０】
【表９】
2013541299.tif 000012
【０１３１】
表８及び表９は、本発明を容易に説明するために便宜上構成したＡＲＩリソースマッピングテーブルであり、本発明の一実施形態に係るＡＲＩリソースマッピングテーブル上の具体的な値はこれに限定されるものではない。
【０１３２】
ＡＲＩが‘００’である場合、表８の例ではリソースセット{ｎ１,ｎ２,ｎ３,ｎ４}が割り当てられる。また、ＡＲＩが‘００’である場合、表９の例ではリソースセット{ｎ１,ｎ５,ｎ９,ｎ１３}が割り当てられる。
【０１３３】
一方、前述したように、キャリアアグリゲーション（ＣＡ）環境で、４ビット以下のＨＡＲＱ ＡＣＫ/ＮＡＣＫ情報は、チャネルセレクションを用いたＰＵＣＣＨフォーマット１ｂを介して送信することができる。
【０１３４】
チャネルセレクションテーブルのフォーマットは、上位階層シグナリングにより予めユーザ端末（ＵＥ）と基地局（ＢＳ）に伝達される。
【０１３５】
ユーザ端末（ＵＥ）は、チャネルセレクションテーブルを構成するためのＡＣＫ/ＮＡＣＫ送信リソースを黙示的リソース割当方式にしたがって割当を受けることもでき、明示的リソース割当方式にしたがって割当を受けることもできる。
【０１３６】
多重コンポーネントキャリアシステム（multi−ＣＣ）では、主コンポーネントキャリア（ＰＣＣ）を介して送信されるＰＤＣＣＨが示すＰＤＳＣＨに対するＡＣＫ/ＮＡＣＫ送信リソースは、黙示的リソース割当方式にしたがって割当を受けることができる。副コンポーネントキャリア（ＳＣＣ）を介して送信されるＰＤＣＣＨが示すＰＤＳＣＨに対するＡＣＫ/ＮＡＣＫ送信リソースは、明示的又は黙示的リソース割当方式にしたがって割当を受けることができる。このとき、副コンポーネントキャリア（ＳＣＣ）を介して送信されるＰＤＣＣＨが示すＰＤＳＣＨに対するＡＣＫ/ＮＡＣＫ送信リソースを割り当てる明示的リソース割当方式として、前述したＡＲＩを用いたリソース割当方式を用いることができる。
【０１３７】
図５は、多重アンテナシステムにおいて、ユーザ端末（ＵＥ）がＡＣＫ/ＮＡＣＫ信号を送信する方法を概略的に説明するフローチャートである。
【０１３８】
ユーザ端末（ＵＥ）は、基地局（ＢＳ）から複数のコンポーネントキャリア（ＣＣｓ）を受信し、ＰＤＣＣＨ及びＰＤＳＣＨ上に情報の伝達を受ける(Ｓ１３１０)。
【０１３９】
受信したコンポーネントキャリア（ＣＣｓ）のうち、主コンポーネントキャリア（ＰＣＣ）を介して送信されるＰＤＣＣＨが示すＰＤＳＣＨに対しては、黙示的リソース割当方式により送信リソースが割り当てられることができる。ユーザ端末（ＵＥ）は、主コンポーネントキャリア（ＰＣＣ）を介して受信されたＰＤＣＣＨ上のＣＣＥのうち１番目のＣＣＥのインジケータを介してＰＵＣＣＨ上のＡＣＫ/ＮＡＣＫリソース割当のためのリソースインデックス(ｎＰＵＣＣＨ,０)を取得することができる。また、黙示的リソース割当方式に追加的なリソースインデックスを取得することができる。例えば、受信したＰＤＣＣＨ上のＣＣＥのうち、１番目のＣＣＥを除いた残りのＣＣＥのうちいずれか一つのＣＣＥを選択し、該当ＣＣＥのインデックスから追加的なリソースインデックス(ｎＰＵＣＣＨ,１)を得ることができる。
【０１４０】
受信したコンポーネントキャリア（ＣＣｓ）のうち、副コンポーネントキャリア（ＳＣＣ）を介して送信されるＰＤＣＣＨ上にはＡＣＫ/ＮＡＣＫ送信リソース割当のためのＡＲＩが伝達される。前述したように、繰り返し伝達されるＰＵＣＣＨに対するＴＰＣに割り当てられる２ビットをＡＲＩを送信するために利用することができる。ユーザ端末（ＵＥ）は、ＡＲＩを介して、明示的にＡＣＫ/ＮＡＣＫ送信リソースの割当を受けることができる。
【０１４１】
ユーザ端末（ＵＥ）は、黙示的/明示的リソース割当方式に割当を受けたリソースで信号送信テーブルを構成する(Ｓ１３３０)。
【０１４２】
前述したように、チャネルセレクションテーブルは、Ｍ値(ＡＣＫ/ＮＡＣＫ信号の送信に使われるビット数)によって異なるように構成され、チャネルセレクションテーブルを構成するためのリソースインデックスの個数がＭ値に応じて異なる。例えば、チャネルセレクションテーブルを構成するためのＡＣＫ/ＮＡＣＫ送信リソースのインデックスの数が２である場合、一つのＡＣＫ/ＮＡＣＫ送信リソースは、主コンポーネントキャリア（ＰＣＣ）のＰＤＣＣＨが指示するＰＤＳＣＨに対するものであり、黙示的リソース割当方式に割当を受け、残りの一つのＡＣＫ/ＮＡＣＫ送信リソースは、副コンポーネントキャリア（ＳＣＣ）のＰＤＣＣＨが指示するＰＤＳＣＨに対するものであり、ＡＲＩを用いて明示的リソース割当方式にしたがって割当を受けることができる。
【０１４３】
ユーザ端末（ＵＥ）は、第１のアンテナに対してチャネルセレクションテーブル上でＡＣＫ/ＮＡＣＫ送信リソースを割り当てる(Ｓ１３４０)。ユーザ端末（ＵＥ）は、第２のアンテナに対してチャネルセレクションテーブル上のＡＣＫ/ＮＡＣＫ送信リソースでない異なる送信リソースを明示的リソース割当方式にしたがって割り当てる(Ｓ１３５０)。したがって、第１のアンテナと第２のアンテナの送信リソースが衝突することを防止することができる。
【０１４４】
ユーザ端末（ＵＥ）は、割り当てられたＡＣＫ/ＮＡＣＫ送信リソースを用い、ＡＣＫ/ＮＡＣＫ信号を第１のアンテナ及び第２のアンテナに送信する(Ｓ１３６０)。
【０１４５】
ここでは二つのアンテナを用いる多重アンテナ送信を説明したが、本発明はこれに限定されるものではなく、二つ以上のアンテナを用いる多重アンテナ送信の場合にも本発明が適用されることができる。
【０１４６】
表１０は、Ｍ＝２である場合に対するチャネルセレクションテーブルの一例である。
【０１４７】
【表１０】
2013541299.tif 000013
【０１４８】
表１１は、Ｍ＝３である場合に対するチャネルセレクションテーブルの一例である。
【０１４９】
【表１１】
2013541299.tif 000014
【０１５０】
表１２は、Ｍ＝４である場合に対するチャネルセレクションテーブルの一例である。
【０１５１】
【表１２】
2013541299.tif 000015
【０１５２】
ここで、ＨＡＲＱ−ＡＣＫ(０)〜ＨＡＲＱ−ＡＣＫ(３)は、正常に受信(デコーディング)されたかどうかを判断しなければならない送信ブロックに対するＡＣＫ/ＮＡＣＫ類型である。
【０１５３】
ｎ(１)ＰＵＣＣＨは、送信に使用するＡＣＫ/ＮＡＣＫ送信リソースである。このとき、チャネルセレクションを構成する各送信リソース、例えば、Ｍ＝２である場合の{ｎ(１)ＰＵＣＣＨ,０,ｎ(１)ＰＵＣＣＨ,１}、Ｍ＝３である場合の{ｎ(１)ＰＵＣＣＨ,０,ｎ(１)ＰＵＣＣＨ,１,ｎ(１)ＰＵＣＣＨ,２}、Ｍ＝４である場合の{ｎ(１)ＰＵＣＣＨ,０,ｎ(１)ＰＵＣＣＨ,１,ｎ(１)ＰＵＣＣＨ,２,ｎ(１)ＰＵＣＣＨ,３}は、前述したように、主コンポーネントキャリア（ＰＣＣ）のＰＤＣＣＨが指示するＰＤＳＣＨに対するものであって、黙示的リソース割当方式に割当を受けた送信リソース、及び副コンポーネントキャリア（ＳＣＣ）のＰＤＣＣＨが指示するＰＤＳＣＨに対するものであって、ＡＲＩを用いて明示的リソース割当方式にしたがって割当を受けた送信リソースである。
【０１５４】
ｂ(０)ｂ(１)は、送信するＡＣＫ/ＮＡＣＫ信号のＱＰＳＫシンボルである。ｂ(０),ｂ(１)の値がＮ/Ａにマッピングされる場合、即ち、ＤＴＸ（Discontinuous Transmission）の場合は、例えば、ユーザ端末（ＵＥ）がＰＤＣＣＨを受信することができない場合などに該当するため、ユーザ端末（ＵＥ）は、サブフレームｎにおけるＡＣＫ/ＮＡＣＫを送信しない。
【０１５５】
前述したように、ユーザ端末（ＵＥ）は、第１のアンテナに対し、信号送信テーブル、例えば、チャネルセレクションテーブルを用いてリソースを割り当てる時、受信したＰＤＳＣＨのデコーディング結果に対応するＡＣＫ/ＮＡＣＫ類型によってマッピングされるＡＣＫ/ＮＡＣＫ送信リソース(ｎ(１)ＰＵＣＣＨ)を用い、該当する送信シンボルｂ(０),ｂ(１)をＰＵＣＣＨ上に送信する。例えば、Ｍ＝３である場合、送信するＡＣＫ/ＮＡＣＫ信号の類型が全部ＡＣＫである場合には、ユーザ端末（ＵＥ）は、ＡＣＫ/ＮＡＣＫ送信リソースｎ(１)ＰＵＣＣＨ,２を用い、該当するシンボルｂ(０),ｂ(１)の値(１,１)をＰＵＣＣＨ上に送信する。
【０１５６】
前述したチャネルセレクションテーブルは、本発明の技術的思想を説明するための例であり、本発明はこれに限定されるものではなく、本発明の技術的思想の範囲内で多様な方式に構成されることができる。
【０１５７】
図６は、多重アンテナシステムにおいて、ＨＡＲＱ ＡＣＫ/ＮＡＣＫ信号を送信する送信装置の一例を概略的に示すブロック図である。図６には二つのアンテナを用いる多重アンテナ送信が示しているが、本発明はこれに限定されるものではなく、二つ以上のアンテナを用いる多重アンテナ送信の場合にも本発明が適用されることができる。また、説明の便宜のために、エンコーダー、マッパ、多重化部などの一部構成を省略して説明する。
【０１５８】
シンボル変調部１４１０ではＡＣＫ/ＮＡＣＫ信号を変調して変調シンボルを出力する。リソース決定部１４２０は、ＡＣＫ/ＮＡＣＫ変調シンボルの送信に用いるＡＣＫ/ＮＡＣＫリソースを第１のアンテナ１４４０ａと第２のアンテナ１４４０ｂに対して割り当てる。リソース割当の結果は、例えば、リソースインデックスなどの形式に第１の拡散部１４３０ａ、第２の拡散部１４３０ｂに伝達される。
【０１５９】
第１のリソース拡散部１４３０ａは、第１のアンテナ１４４０ａに対するリソース決定部１４２０のリソース割当結果によってＡＣＫ/ＮＡＣＫ変調シンボルを拡散させ、第１のアンテナ１４４０ａを介して送信する。第２のリソース拡散部１４３０ｂは、第２のアンテナ１４４０ｂに対するリソース決定部１４２０のリソース割当結果によってＡＣＫ/ＮＡＣＫ変調シンボルを拡散させ、第２のアンテナ１４４０ｂを介して送信する。
【０１６０】
多重アンテナを用いてＡＣＫ/ＮＡＣＫ信号を送信すると、同じＡＣＫ/ＮＡＣＫシンボルを互いに異なるアンテナを介して互いに異なるリソースを用いて送信することによってダイバーシティを得ることができる。
【０１６１】
前述したように、第１のアンテナに対してはチャネルセレクションテーブルによってＡＣＫ/ＮＡＣＫ送信リソースを割り当て、第２のアンテナに対してはチャネルセレクションテーブル上でマッピングされない異なるリソースを割り当てて同じＡＣＫ/ＮＡＣＫ信号を送信することによって、リソースの衝突を防止して送信ダイバーシティを得る。
【０１６２】
図７は、本発明の実施例が具現される無線通信システムを概略的に示すブロック図である。
【０１６３】
基地局（ＢＳ）１５１０は、信号処理部１５１１、メモリ１５１２、及びＲＦ部１５１３を含む。
【０１６４】
信号処理部１５１１は、提案された機能、手順及び/又は方法を具現する。信号処理部１５１１は、ダウンリンク物理チャネルを設定し、ＨＡＲＱを実行することができる。また、信号処理部１５１１は、ＡＣＫ/ＮＡＣＫ信号のリソース割当のためのチャネルセレクションテーブルを構成するリソースインデックスをダウンリンク送信ブロックに含めたり、このリソースインデックスを明示的に指示するＡＲＩなどを処理したりする。この場合、信号の処理は、信号の生成、変調、信号内容の割当、信号の送信の決定などを含む広義の処理である。例えば、ＡＣＫ/ＮＡＣＫリソース割当のためのチャネルセレクションテーブルを構成するリソースインデックスのうち、いくつのリソースインデックスが明示的リソース割当方式により割り当てられるか、又はいくつのリソースインデックスが黙示的リソース割当方式により割り当てられるか、又は黙示的リソース割当方式にリソースインデックスの割当を受けるためにどのリソースを基にするかなどが信号処理部１５１１により決定され、端末１５２０に伝達されることができる。また、信号処理部１５１１は、複数のコンポーネントキャリアが送信される時、同じＰＵＣＣＨに対して重複されるＴＰＣに割り当てられるビットを用いてＡＣＫ/ＮＡＣＫ送信リソースを割り当てるためのＡＲＩを送信することもできる。
【０１６５】
メモリ１５１２は、信号処理部１５１１と連結され、ＨＡＲＱ動作のためのプロトコルやパラメータを格納する。また、メモリ１５１２は、チャネルセレクションテーブル及び/又はＡＲＩマッピングテーブルを格納することができる。チャネルセレクションテーブル及び/又はＡＲＩマッピングテーブルのフォーマットは、上位階層により予め決められ、ユーザ端末（ＵＥ）と基地局（ＢＳ）に同じフォーマットのチャネルセレクションテーブル及び/又はＡＲＩマッピングテーブルが存在するようになる。基地局（ＢＳ）１５１０は、メモリ１５１２に格納されたチャネルセレクションテーブル及び/又はＡＲＩマッピングテーブルを用い、ユーザ端末（ＵＥ）１５２０から送信されたＡＣＫ/ＮＡＣＫ信号の処理に用いることができる。
【０１６６】
ＲＦ部１５１３は、信号処理部１５１１と連結され、無線信号を送信及び/又は受信し、複数のアンテナを含むことができる。
【０１６７】
ユーザ端末（ＵＥ）１５２０は、信号処理部１５２１、メモリ１５２２、及びＲＦ部１５２３を含む。
【０１６８】
信号処理部１５２１は、提案された機能、手順及び/又は方法を具現する。信号処理部１５２１は、複数のリソースを取得し、複数のリソースを用いて多重アンテナを介してＨＡＲＱ ＡＣＫ/ＮＡＣＫ信号を送信することができる。また、信号処理部１５２１は、ＡＣＫ/ＮＡＣＫ信号を送信するために、シンボルを変調し、変調シンボルを拡散させる役割も実行することができる。また、信号処理部１５２１は、基地局（ＢＳ）から受信した無線信号を介して、黙示的又は明示的リソース割当方式によって送信リソースを割り当てることもできる。また、信号処理部１５２１は、チャネルセレクションテーブル及び/又はＡＲＩマッピングテーブルを用いてＡＣＫ/ＮＡＣＫ送信リソースを割り当ててＡＣＫ/ＮＡＣＫ信号を処理することができる。
【０１６９】
メモリ１５２２は、信号処理部１５２１と連結され、ＨＡＲＱ動作のためのプロトコルやパラメータ、そしてＡＣＫ/ＮＡＣＫリソース割当のために、基地局（ＢＳ）１５１０が保有しているものと同じであるチャネルセレクションテーブル及び/又はＡＲＩマッピングテーブルを格納することができる。ＲＦ部１５２３は、信号処理部１５２１と連結され、無線信号を送信及び/又は受信し、複数のアンテナを含むことができる。
【０１７０】
信号処理部１５１１、１５２１は、ＡＳＩＣ（Application-Specific Integrated Circuit）、他のチップセット、論理回路及び/又はデータ処理装置を含むことができる。メモリ１５１２、１５２２は、ＲＯＭ((Read-Only Memory)、ＲＡＭ（Random Access Memory）、フラッシュメモリ、メモリカード、格納媒体及び/又は他の格納装置を含むことができる。ＲＦ部１５１３、１５２３は、無線信号を処理するためのベースバンド回路を含むことができる。本実施の形態がソフトウェアで具現される時、前述した技法は、前述した機能を遂行するモジュール(手順、機能など)で具現されることができる。モジュールは、メモリ１５１２、１５２２に格納され、信号処理部１５１１、１５２１により実行されることができる。メモリ１５１２、１５２２は、信号処理部１５１１、１５２１の内部又は外部にあり、よく知られた多様な手段で信号処理部１５１１、１５２１と連結されることができる。
【０１７１】
本発明で説明した上位階層から伝達される制御情報は、別の物理制御チャネルにも送信されることができ、基地局（ＢＳ）又はユーザ端末（ＵＥ）の要求により、予め決められた所定の規則又は指示によって周期的又は非周期的に更新されることができる。
【０１７２】
前述した例示的なシステムで、方法は一連のステップ又はブロックで順序図に基づいて説明しているが、本発明は、そのステップの順序に限定されるものではなく、あるステップは前述と異なるステップと異なる順序に又は同時に実行することができる。また、当業者であれば、順序図に示すステップが排他的でなく、他のステップが含まれたり、フローチャートの一つ又はそれ以上のステップが本発明の技術的範囲に影響を及ぼさずに削除可能であることを理解することができる。
【０１７３】
本発明の好ましい実施形態を図面を参照して説明したが、本発明の範囲を逸脱することなく様々な変形例をなし得ることは、当業者であれば明らかに理解される。したがって、本発明の技術的思想は、添付図面の変形に加えて、このような全ての変形を包含するものと解釈されるべきである。
【図１】
2013541299.tif 000016
【図２】
2013541299.tif 000017
【図３】
2013541299.tif 000018
【図４】
2013541299.tif 000019
【図５】
2013541299.tif 000020
【図６】
2013541299.tif 000021
【図７】
2013541299.tif 000022
【手続補正書】
【提出日】平成25年6月3日(2013.6.3)
【手続補正２】
【補正対象書類名】特許請求の範囲
【補正対象項目名】全文
【補正方法】変更
【補正の内容】
【特許請求の範囲】
【請求項１】
キャリアアグリゲーション（ＣＡ）システムにおいて、ユーザ端末（ＵＥ）によりＨＡＲＱのためのＡＣＫ/ＮＡＣＫを送信する方法であって、
基地局（ＢＳ）からダウンリンクデータ送信を副コンポーネントキャリア（ＳＣＣ）上で制御する、上位階層で構成された少なくとも一つのＡＣＫ／ＮＡＣＫリソースセットから少なくとも一つのＡＣＫ／ＮＡＣＫリソースを表示するために使われる２ビットの送信電力制御（ＴＰＣ）フィールドを含む、ダウンリンク制御情報（ＤＣＩ）を受信するステップ
チャネルセレクションを基盤として前記ダウンリンクデータの送信時に、前記ＡＣＫ／ＮＡＣＫを前記少なくとも一つのＡＣＫ／ＮＡＣＫリソース及び少なくとも一つの変調シンボルの結合体にマッピングするステップ及び、
前記結合体を使って前記ＡＣＫ／ＮＡＣＫを前記基地局に送信するステップを含むことを特徴とするＡＣＫ/ＮＡＣＫ送信方法。
【請求項２】
前記ダウンリンクデータ送信が一つのトランスポートブロック用である場合、前記ＴＰＣフィールドが第１のＡＣＫ／ＮＡＣＫリソースセットに含まれる単一ＡＣＫ／ＮＡＣＫリソースを表示するために使われることを特徴とする請求項１に記載のＡＣＫ/ＮＡＣＫ送信方法。
【請求項３】
前記ダウンリンクデータ送信が二つのトランスポートブロック用である場合、前記ＴＰＣフィールドが第１のＡＣＫ／ＮＡＣＫリソースセット及び第２のＡＣＫ／ＮＡＣＫリソースセットにそれぞれ含まれる二つのＡＣＫ／ＮＡＣＫリソースを表示するために使われる ことを特徴とする請求項１に記載のＡＣＫ/ＮＡＣＫ送信方法。
【請求項４】
前記第１のＡＣＫ／ＮＡＣＫリソースセットが前記ＴＰＣフィールド値等にそれぞれマッピングされた四つのＡＣＫ／ＮＡＣＫリソースを含むことを特徴とする請求項１に記載のＡＣＫ/ＮＡＣＫ送信方法。
【請求項５】
キャリアアグリゲーション搬送波集約(ＣＡ）システムにおいて、ＨＡＲＱのためのＡＣＫ／ＮＡＣＫを送信する端末であって、
基地局（ＢＳ）からダウンリンクデータ送信を副コンポーネントキャリア（ＳＣＣ）上で制御する、上位階層で構成された少なくとも一つのＡＣＫ／ＮＡＣＫリソースセットから少なくとも一つのＡＣＫ／ＮＡＣＫリソースを表示するために使われる２ビットの送信電力制御（ＴＰＣ）フィールドを含む、ダウンリンク制御情報（ＤＣＩ）を受信するＲＦユニット及び、
チャネルセレクションを基盤として前記ダウンリンクデータの送信時に、前記ＡＣＫ／ＮＡＣＫを前記少なくとも一つのＡＣＫ／ＮＡＣＫリソース及び少なくとも一つの変調シンボルの結合体にマッピングする信号処理ユニットを含み、
前記ＲＦユニットは、前記結合体を使って前記ＡＣＫ／ＮＡＣＫを前記基地局に送信することを特徴とするＡＣＫ／ＮＡＣＫ送信端末。
【請求項６】
前記ダウンリンクデータ送信が一つのトランスポートブロック用である場合、前記ＴＰＣフィールドが第１のＡＣＫ／ＮＡＣＫリソースセットに含まれる単一ＡＣＫ／ＮＡＣＫリソースを表示するために使われることを特徴とする請求項５に記載のＡＣＫ／ＮＡＣＫ送信端末。
【請求項７】
前記ダウンリンクデータ送信が二つのトランスポートブロック用である場合、前記ＴＰＣフィールドが第１のＡＣＫ／ＮＡＣＫリソースセット及び第２のＡＣＫ／ＮＡＣＫリソースセットにそれぞれ含まれる二つのＡＣＫ／ＮＡＣＫリソースを表示するために使われることを特徴とする請求項５に記載のＡＣＫ／ＮＡＣＫ送信端末。
【請求項８】
前記第１のＡＣＫ／ＮＡＣＫリソースセットが前記ＴＰＣフィールド値等にそれぞれマッピングされた四つのＡＣＫ／ＮＡＣＫリソースを含むことを特徴とする請求項５に記載のＡＣＫ／ＮＡＣＫ送信端末。
【請求項９】
キャリアアグリゲーション（ＣＡ）システムにおいて、基地局（ＢＳ）によりＨＡＲＱのためのＡＣＫ／ＮＡＣＫを受信する方法であって、
ダウンリンクデータ送信を副コンポーネントキャリア（ＳＣＣ）上で制御する、上位階層で構成された少なくとも一つのＡＣＫ／ＮＡＣＫリソースセットから少なくとも一つのＡＣＫ／ＮＡＣＫリソースを表示するために使われる２ビットの送信電力制御（ＴＰＣ）フィールドを含む、ダウンリンク制御情報（ＤＣＩ）を構成するステップ
前記ＤＣＩをユーザ端末（ＵＥ）に送信するステップ及び、
前記ＵＥから前記ダウンリンクデータ送信時に、前記ＡＣＫ／ＮＡＣＫを受信するステップを含み、
前記ＡＣＫ／ＮＡＣＫがチャネルセレクションを基盤として前記少なくとも一つのＡＣＫ／ＮＡＣＫリソース及び少なくとも一つの変調シンボルの結合体にマッピングされ、前記結合体を使って前記ＡＣＫ／ＮＡＣＫが受信されることを特徴とするＡＣＫ／ＮＡＣＫ受信方法。
【請求項１０】
前記ダウンリンクデータ送信が一つのトランスポートブロック用である場合、前記ＴＰＣフィールドが第１のＡＣＫ／ＮＡＣＫリソースセットに含まれる単一ＡＣＫ／ＮＡＣＫリソースを表示するために使われることを特徴とする請求項９に記載のＡＣＫ／ＮＡＣＫ受信方法。
【請求項１１】
前記ダウンリンクデータ送信が二つのトランスポートブロック用である場合、前記ＴＰＣフィールドが第１のＡＣＫ／ＮＡＣＫリソースセット及び第２のＡＣＫ／ＮＡＣＫリソースセットにそれぞれ含まれる二つのＡＣＫ／ＮＡＣＫリソースを表示するために使われることを特徴とする請求項９に記載のＡＣＫ／ＮＡＣＫ受信方法。
【請求項１２】
前記ＡＣＫ／ＮＡＣＫリソースセットが前記ＴＰＣフィールド値等にそれぞれマッピングされた四つのＡＣＫ／ＮＡＣＫリソースを含むことを特徴とする請求項９に記載のＡＣＫ／ＮＡＣＫ受信方法。
【請求項１３】
キャリアアグリゲーション（ＣＡ）システムにおいて、ＨＡＲＱのためのＡＣＫ／ＮＡＣＫを受信する基地局（ＢＳ）であって、
ダウンリンクデータ送信を副コンポーネントキャリア（ＳＣＣ）上で制御する、上位階層で構成された少なくとも一つのＡＣＫ／ＮＡＣＫリソースセットから少なくとも一つのＡＣＫ／ＮＡＣＫリソースを表示するために使われる２ビットの送信電力制御（ＴＰＣ）フィールドを含む、ダウンリンク制御情報（ＤＣＩ）を構成する信号処理ユニット及び、
前記ＤＣＩをユーザ端末（ＵＥ）に送信し、前記ＵＥから前記ダウンリンクデータ送信時にＡＣＫ／ＮＡＣＫを受信するＲＦユニットを含み、
前記ＡＣＫ／ＮＡＣＫがチャネルセレクションを基盤として前記少なくとも一つのＡＣＫ／ＮＡＣＫリソース及び少なくとも一つの変調シンボルの結合体にマッピングされ、前記結合体を使って前記ＡＣＫ／ＮＡＣＫが受信されることを特徴とするＡＣＫ／ＮＡＣＫ受信基地局。
【請求項１４】
前記ダウンリンクデータ送信が一つのトランスポートブロック用である場合、前記ＴＰＣフィールドが第１のＡＣＫ／ＮＡＣＫリソースセットに含まれる単一ＡＣＫ／ＮＡＣＫリソースを表示するために使われることを特徴とする請求項１３に記載のＡＣＫ／ＮＡＣＫ受信基地局。
【請求項１５】
前記ダウンリンクデータ送信が二つのトランスポートブロック用である場合、前記ＴＰＣフィールドが第１のＡＣＫ／ＮＡＣＫリソースセット及び第２のＡＣＫ／ＮＡＣＫリソースセットにそれぞれ含まれる二つのＡＣＫ／ＮＡＣＫリソースを表示するために使われることを特徴とする請求項１３に記載のＡＣＫ／ＮＡＣＫ受信基地局。
【国際調査報告】
2013541299.tif 000023
2013541299.tif 000024